(57)【要約】【課題】切手などのシートを作成する装置を、道路などの屋外に設置すると、真夏、梅雨時の高温、高湿では、糊が水分を吸収して融け、内蔵している複数枚のシートやロール状のシートが貼りつき、印刷過程において、シートがプリンタのローラなどに貼りつき、正常なシートの送りができなくなる恐れがあった。【解決手段】撮像手段、画像処理手段、プリンタよりなるシート作成装置に、環境制御部を設け、環境制御部が上記プリンタの周囲の環境を所定条件範囲に保つようにする。環境制御部は、断熱箱と、熱サイクルシステムやペルチェ効果素子を備え、断熱箱にプリンタを収納し、熱サイクルシステムやペルチェ効果素子が断熱箱の内部を所定温度範囲内に保つようにする。プリンタが作成した印刷済の用紙を排出する排出口を、断熱箱を貫通するように設ける。排出口の周囲を断熱材で囲むようにする。【選択図】  図２
2005001120.tif 000002
【特許請求の範囲】
【請求項１】
画像の入力を受け付ける画像入力手段と、
前記画像を処理する画像処理手段と、
前記画像処理手段の処理結果を用紙に印刷して排出するプリンタと、
前記プリンタの周囲の環境を所定条件範囲に保つ環境制御部を具備するシート作成装置。
【請求項２】
前記環境制御部は、断熱箱と、熱サイクルシステムを備え、
前記断熱箱にプリンタを収納し、前記熱サイクルシステムが前記断熱箱の内部を所定温度範囲内、所定湿度範囲内の少なくとも一方に保つようにしたことを特徴とする請求項１記載のシート作成装置。
【請求項３】
前記環境制御部は、断熱箱と、ペルチェ効果素子を備え、前記断熱箱に前記プリンタを収納し、前記ペルチェ効果素子が前記断熱箱の内部を所定温度範囲内、所定湿度範囲内の少なくとも一方に保つようにしたことを特徴とする請求項１記載のシート作成装置。
【請求項４】
前記環境制御部は、更にヒータを備え、前記断熱箱の内部を所定温度範囲内、所定湿度範囲内の少なくとも一方に保つようにしたことを特徴とする請求項２または請求項３いずれか記載のシート作成装置。
【請求項５】
前記環境制御部は、更に加湿器を備え、前記断熱箱の内部を所定温度範囲内、所定湿度範囲内の少なくとも一方に保つようにしたことを特徴とする請求項２または請求項３いずれか記載のシート作成装置。
【請求項６】
前記環境制御部は、更にヒータと加湿器を備え、前記断熱箱の内部を所定温度範囲内、所定湿度範囲内の少なくとも一方に保つようにしたことを特徴とする請求項２または請求項３いずれか記載のシート作成装置。
【請求項７】
印刷済の用紙を排出する排出口が、前記断熱箱を貫通するように設けてあることを特徴とする請求項２から請求項６いずれか記載のシート作成装置。
【請求項８】
前記排出口の周囲を断熱材で囲むようにしたことを特徴とする請求項７記載のシート作成装置。
【請求項９】
扉を設け、前記排出口の経路を遮断できるようにしたことを特徴とする請求項７記載のシート作成装置。
【請求項１０】
印刷部と環境制御部を備えたプリンタ装置であって、
前記環境制御部が前記プリンタ装置の周囲の環境を所定条件範囲に保つようにしたことを特徴とするプリンタ装置。
【請求項１１】
前記環境制御部は、断熱箱と、熱サイクルシステムを備え、前記断熱箱にプリンタ装置を収納し、前記熱サイクルシステムが前記断熱箱の内部を所定温度範囲内、所定湿度範囲内の少なくとも一方に保つようにしたことを特徴とする請求項１０記載のプリンタ装置。
【請求項１２】
前記環境制御部は、断熱箱と、ペルチェ効果素子を備え、前記断熱箱に前記印刷部を収納し、前記ペルチェ効果素子が前記断熱箱の内部を所定温度範囲内、所定湿度範囲内の少なくとも一方に保つようにしたことを特徴とする請求項１０記載のプリンタ装置。
【請求項１３】
前記環境制御部は、更にヒータを備え、前記断熱箱の内部を所定温度範囲内、所定湿度範囲内の少なくとも一方に保つようにしたことを特徴とする請求項１１または請求項１２いずれか記載のプリンタ装置。
【請求項１４】
前記環境制御部は、更に加湿器を備え、前記断熱箱の内部を所定温度範囲内、所定湿度範囲内の少なくとも一方に保つようにしたことを特徴とする請求項１１または請求項１２いずれか記載のプリンタ装置。
【請求項１５】
前記環境制御部は、更にヒータと加湿器を備え、前記断熱箱の内部を所定温度範囲内、所定湿度範囲内の少なくとも一方に保つようにしたことを特徴とする請求項１１または請求項１２いずれか記載のプリンタ装置。
【請求項１６】
印刷済の用紙を排出する排出口が、前記断熱箱を貫通するように設けてあることを特徴とする請求項１１から請求項１５いずれか記載のプリンタ装置。
【請求項１７】
前記排出口の周囲を断熱材で囲むようにしたことを特徴とする請求項１６記載のプリンタ装置。
【請求項１８】
扉を設け、前記排出口の経路を遮断できるようにしたことを特徴とする請求項１６記載のプリンタ装置。
【発明の詳細な説明】
【０００１】
【発明の属する技術分野】
本発明は、特に、切手シートの購入者が好みの画像をプリントした切手シートを購入することを可能にする切手などのシート作成装置およびプリンタ装置に関し、切手シートの裏側に貼付された糊やシール剤により不具合が起こらないようにしたシート作成装置およびプリンタ装置に関する。
【０００２】
【従来の技術】
従来、切手シートを作成する装置として、画像形成前の印刷用の用紙としてシートを用意しておき、被写体である購入者を撮像し、その顔の部分を画像抽出し、抽出した画像を画像形成前のシートに印刷して、切手シートを作成する装置が知られている（例えば、特許文献１参照）。
【０００３】
【特許文献１】
特開平１０−３２２５４４号公報（第２−３頁、第２図）
【０００４】
【発明が解決しようとする課題】
上記従来技術において、画像形成前のシートの裏側には、従来の切手と同様に、貼付用の接着剤として糊などが塗布されている。また、画像形成前のシートとして、保護紙をはがしてすぐに貼り付けるようにしたシール紙を使用する場合もある。このようなシール紙にも表面側と裏面側の紙の間に貼付用の接着剤が塗布されている。このような切手シート作成装置は、郵便局のような屋内だけでなく、商店街や、道路などの屋外にも設置される。室外の使用環境では、夏と冬の温度差、梅雨時と冬での湿度差が大きく、接着剤やシール紙がその影響を受ける。極度の高温、高湿では、糊が水分を吸収して、内蔵している複数枚のシートやロール状のシートがくっついたり、印刷過程においてシートがプリンタのローラなどに貼りついたりして、正常なシートの送りができなくなる。シール紙の場合も、片面が膨張して丸まり、紙詰りを引き起こす恐れがあった。プリンタには、レーザプリンタ、昇華型プリンタ、インクジェットプリンタ、塗布型プリンタなどが使われるが、トナー、発色材料、インク、塗料などの許容温度や湿度の範囲を外れると正常な印刷が困難になる恐れがあった。
【０００５】
そこで、本発明は、温度や湿度の環境変化に耐えられ、正常なプリントができる切手などのシート作成装置およびプリンタ装置を提供することを目的とする。
【０００６】
【課題を解決するための手段】
上記の課題を解決するために、本発明のシート作成装置およびプリンタ装置は、以下のような手段を採用する。
【０００７】
（１）画像の入力を受け付ける画像入力手段と、前記画像を処理する画像処理手段と、前記画像処理手段の処理結果を用紙に印刷して排出するプリンタと、前記プリンタの周囲の環境を所定条件範囲に保つ環境制御部を具備するシート作成装置とすることにより、プリンタの環境を所定の状態にすることができる。
【０００８】
（２）前記環境制御部は、断熱箱と、熱サイクルシステムを備え、前記断熱箱にプリンタを収納し、前記熱サイクルシステムが前記断熱箱の内部を所定温度範囲内、所定湿度範囲内の少なくとも一方に保つようにした、前記（１）記載のシート作成装置とすることにより、小規模のシステムによりプリンタの環境を所定の状態にすることができ、印刷の不具合を防止できる。
【０００９】
（３）前記環境制御部は、断熱箱と、ペルチェ効果素子を備え、前記断熱箱に前記プリンタを収納し、前記ペルチェ効果素子が前記断熱箱の内部を所定温度範囲内、所定湿度範囲内の少なくとも一方に保つようにした、前記（１）記載のシート作成装置とすることにより、簡単な構成でプリンタの環境を所定の状態にすることができる。
【００１０】
（４）前記環境制御部は、更にヒータを備え、前記断熱箱の内部を所定温度範囲内、所定湿度範囲内の少なくとも一方に保つようにした、前記（２）または（３）いずれか記載のシート作成装置とすることにより、外気温度が低温の場合もプリンタの環境を所定の温度範囲内にすることができる。
【００１１】
（５）前記環境制御部は、更に加湿器を備え、前記断熱箱の内部を所定温度範囲内、所定湿度範囲内の少なくとも一方に保つようにした、前記（２）または（３）いずれか記載のシート作成装置とすることにより、外気湿度が低湿の場合もプリンタの環境を所定の湿度範囲内にすることができる。
【００１２】
（６）前記環境制御部は、更にヒータと加湿器を備え、前記断熱箱の内部を所定温度範囲内、所定湿度範囲内の少なくとも一方に保つようにした、前記（２）または（３）いずれか記載のシート作成装置とすることにより、外気湿度が低温、低湿の場合もプリンタの環境を所定の温度、湿度範囲内にすることができる。
【００１３】
（７）印刷済の用紙を排出する排出口が、前記断熱箱を貫通するように設けてある、前記（２）から（６）いずれか記載のシート作成装置とすることにより、プリンタの環境を少ない電力で効率的に制御できる。
【００１４】
（８）前記排出口の周囲を断熱材で囲むようにした、前記（７）記載のシート作成装置とすることにより、プリンタの環境をより少ない電力で効率的に制御できる。
【００１５】
（９）扉を設け、前記排出口の経路を遮断できるようにした、前記（７）のシート作成装置とすることにより、プリンタの環境を更に効率的に制御できる。
【００１６】
（１０）印刷部と環境制御部を備えたプリンタ装置であって、前記環境制御部が前記プリンタ装置の周囲の環境を所定条件範囲に保つようにしたプリンタ装置とすることにより、プリンタの環境を所定の状態にすることができる。
【００１７】
（１１）前記環境制御部は、断熱箱と、熱サイクルシステムを備え、前記断熱箱にプリンタ装置を収納し、前記熱サイクルシステムが前記断熱箱の内部を所定温度範囲内、所定湿度範囲内の少なくとも一方に保つようにした、前記（１０）のプリンタ装置とすることにより、プリンタの環境を所定の状態にすることができ、印刷の不具合を防止できる。
【００１８】
（１２）前記環境制御部は、断熱箱と、ペルチェ効果素子を備え、前記断熱箱に前記印刷部を収納し、前記ペルチェ効果素子が前記断熱箱の内部を所定温度範囲内、所定湿度範囲内の少なくとも一方に保つようにした、前記（１０）記載のプリンタ装置とすることにより、簡単な構成でプリンタの環境を所定の状態にすることができる。
【００１９】
（１３）前記環境制御部は、更にヒータを備え、前記断熱箱の内部を所定温度範囲内、所定湿度範囲内の少なくとも一方に保つようにした、前記（１１）または（１２）いずれか記載のプリンタ装置とすることにより、外気温度が低温の場合もプリンタの環境を所定の温度範囲内にすることができる。
【００２０】
（１４）前記環境制御部は、更に加湿器を備え、前記断熱箱の内部を所定温度範囲内、所定湿度範囲内の少なくとも一方に保つようにした、前記（１１）または（１２）いずれか記載のプリンタ装置とすることにより、外気湿度が低湿の場合もプリンタの環境を所定の湿度範囲内にすることができる。
【００２１】
（１５）前記環境制御部は、更にヒータと加湿器を備え、前記断熱箱の内部を所定温度範囲内、所定湿度範囲内の少なくとも一方に保つようにした、前記（１１）または（１２）いずれか記載のプリンタ装置とすることにより、外気湿度が低温、低湿の場合もプリンタの環境を所定の温度、湿度範囲内にすることができる。
【００２２】
（１６）印刷済の用紙を排出する排出口が、前記断熱箱を貫通するように設けた、前記（１１）から（１５）いずれか記載のプリンタ装置とすることにより、プリンタの環境を効率的に制御できる。
【００２３】
（１７）前記排出口の周囲を断熱材で囲むようにした、前記（１６）記載のプリンタ装置とすることにより、プリンタの環境をより効率的に制御できる。
【００２４】
（１８）扉を設け、前記排出口の経路を遮断できるようにした、前記（１６）のプリンタ装置とすることにより、プリンタの環境を更に効率的に制御できる。
【００２５】
【発明の実施の形態】
以下、本発明のシート作成装置およびプリンタ装置の実施形態について図面を参照して説明する。なお、以下の各実施の形態の説明において、同じ構成要素には同じ番号を付与し、再度の説明を省く場合がある。
【００２６】
（実施の形態１）
図１は、本発明のシート作成装置の構成図である。シート作成装置２は、画像入力手段としての撮像手段４、画像処理手段５、プリンタ６、環境制御部８を備えている。撮像手段４は、被写体１を撮像する。つまり、画像入力手段は、被写体１の画像の入力を受け付ける。画像処理手段５は、撮像した画像から被写体１の顔の部分の画像を抽出し、その画像をプリンタ６に送る。プリンタ６は、内蔵している画像形成前のシートの所定の位置に、顔の画像を印刷し、印刷済の切手シート３を排出口７から排出する。画像処理手段５は、顔の部分の画像を抽出する以外に、似顔絵などに変換して付加する、あるいは、背景画像を選択して付加するようにしてもよい。
【００２７】
一枚のシートには、１つまたは複数の切手エリアがあり、それぞれのエリアの周囲や境界には穴の開いた切れ目が設けられている。各切手上には、額面エリアとプリントエリアが設けられており、額面エリアには切手の額面が印刷してあり、プリントエリアには、顔の画像がプリントされる。切手エリアの周辺にもプリントが可能である。
【００２８】
額面エリアには、あらかじめ５０円、８０円などの額面が、改竄不可能な形で印刷されている。あるいは、切手購入者の希望額面を、プリンタ６が印刷するようにしてもよい。額面エリアには、改竄不可能なように、特定の蛍光塗料を塗布する、あるいは、特定のパターンの表面状態をあらかじめ作りこんでおくようにしてもよい。
【００２９】
本発明のシート作成装置２は、プリンタ６用に環境制御部８を設けている。図２に環境制御部８の構成の一例を示す。図２において、プリンタ６は、断熱箱１１の内部に収納される。断熱箱１１は、冷蔵庫に使用するような断熱材料を使用した箱である。断熱箱１１の上部には、蓋１４が設けられる。蓋１４は、プリンタ６の保守やシートの補充のために利用される。断熱箱１１は、隔壁１５を隔てて断熱箱１６とつながっている。隔壁１５には、通気口１７、１８が設けられており、断熱箱１１と断熱箱１６の間は、空気が行き来できる。断熱箱１１には排出口１２が設けられており、プリンタ６の出力する切手シートが外部に排出される。排出口１２の周囲は、断熱材１３により囲われている。断熱箱１１の内部は、ヒートポンプ装置により所定の環境に保たれる。ヒートポンプ装置は、圧縮機２０、熱交換器２１、熱交換器２２、膨張弁２４、切換器２３、ファン２５、ファン２６、センサー２７、制御部２８より構成される熱サイクルシステムである。
【００３０】
まず、冷却あるいは冷房時の動作について説明する。圧縮機２０は、内部の冷媒を圧縮し高温になった半液体状の冷媒を、切換器２３を介して熱交換器２２に送り出す。冷媒は外気温度より高温であり、熱交換器２２において周囲に熱を放散する。ファン２５は、熱放散を高効率化する。冷媒は温度が下がり更に液体化する。放熱された液体状の冷媒は膨張弁２４に送られ、膨張弁２４内部において、細い穴から低圧側に放射され、気化する。この際、冷媒は急速にその温度を下げる。低圧低温気体になった冷媒は、熱交換器２１において、断熱箱１６内部の熱を奪う。ファン２６は、プリンタ６周辺の空気を、通気口１７を通じて吸引し、熱交換器２１で冷やし、低温の空気を通気口１８より、プリンタ６の周辺に送り込む。熱交換器２１内部の冷媒は、熱を奪うことにより一層気化し、切換器２３を経て、圧縮機２０に戻る。戻った冷媒は、再び圧縮され圧縮機２０から送り出される。図２において、冷媒の移動方向を点線の矢印で示している。熱交換器２２は、凝縮器（コンデンサ）として動作し、熱交換器２１は、蒸発器（エバポレータ）として動作する。
【００３１】
次に暖房時の動作について説明する。圧縮機２０は、内部の冷媒を圧縮し高温になった半液体状の冷媒を、切換器２３を介して熱交換器２１に送り出す。冷媒は熱交換器２１において断熱箱１６内部に熱を放散する。ファン２６は、熱放散の効率を高める。放熱された冷媒は膨張弁２４に送られ、気化し急速にその温度を下げる。外気温度より低温になった冷媒は、熱交換器２２において、周囲の熱を奪いながら、切換器２３を経て、圧縮機２０に戻る。ファン２５は、周囲の空気の熱を熱交換器２２に移動する効果を高める。圧縮機２０に戻った冷媒は、再び圧縮され圧縮機２０から送り出される。暖房時には、膨張弁２４に内部を、冷房時と逆方向になるように切り替えておく。切換器２３は、四方弁のような原理により、圧縮機２０の入力パイプと出力パイプと熱交換器２１、２２の接続経路を逆になるように、その経路を切り替えておく。したがって、冷媒の移動方向は、図２の（Ａ）に示すように、冷房の場合とは逆の方向になる。熱交換器２１は、凝縮器（コンデンサ）として動作し、熱交換器２２は、蒸発器（エバポレータ）として動作する。
【００３２】
センサー２７は、断熱箱１１内部の温度Ｔを計測し、制御部２８に温度データを供給する。制御部２８は、温度Ｔが所定の範囲内であれば、圧縮機２０、ファン２５、２６を停止する。温度Ｔが所定の温度より高ければ、切換器２３と膨張弁２４を冷房側に切り替えて、圧縮機２０、ファン２５、２６を駆動する。温度Ｔが所定の範囲内に戻れば、圧縮機２０、ファン２５、２６を停止する。一方、温度Ｔが所定の温度より低ければ、切換器２３と膨張弁２４を暖房側に切り替えて、圧縮機２０、ファン２５、２６を駆動する。
【００３３】
冷房時には、熱交換器２１の周囲には、断熱箱１１内部の水蒸気が液化して水滴となり滴下するので、その水滴を断熱箱１６下部の窪みに集め、排水口１９から外部に排出するようにする。このようにして、断熱箱１１内部の湿度を所定範囲に保つことができる。湿度の制御を行うには、センサー２７に加えて、湿度センサーを設け、計測データを制御部２８に入力するようにすればよい。
【００３４】
本発明では、プリンタ６の近傍のみを断熱箱１１で取り囲むようにしたので、局所の温度湿度制御を行うだけですみ、小規模のヒートポンプでもプリンタ６を所望の温度湿度範囲内の環境におくことが出来る。シートの排出口１２の周囲を断熱箱１１前面の断熱材や断熱材１３で囲むようにしたので、外部からの温度を効果的に遮断でき、より小型のヒートポンプを採用でき、小型化、省エネルギー化が実現できる。
【００３５】
所定温度やその範囲、湿度の範囲は、シートの温度特性やプリンタ６の方式に従って、適切な値に決めればよい。その一例としては、温度範囲２２±３℃、湿度４５％±５％がよい。
【００３６】
なお、上記説明では、撮像手段４が被写体１を撮像するようにしたが、撮像手段４の代わりに、たとえば、写真を画像情報に変換して画像処理手段５に入力するスキャナや、遠隔地から送られる画像情報を受信して画像処理手段５に入力する受信手段、ハードディスクドライブのような記憶装置に格納された画像情報を読み出して画像処理手段５に入力する画像入力手段などとしてもよい。つまり、画像入力手段は、画像の入力を受け付ければ、その実現手段は問わない。
【００３７】
（実施の形態２）
上記、実施の形態１では、冷暖可能なヒートポンプを使用したが、冷却時にのみ熱サイクルシステムを用い、暖房にはヒータを用いてもよい。図３に本実施の形態の例を示す。図３においては、切換器２３を省いてあり、圧縮機２０の配管と膨張弁２４の方向は、冷房専用の固定型とする。隔壁１５上にヒータ３０を設ける。制御部２８は、温度Ｔが所定温度以下の場合、圧縮機２０、ファン２５、２６を停止し、ヒータ３０に通電し、断熱箱１１内を加熱する。所定温度になれば、ヒータ３０への通電を停止する。
【００３８】
プリンタ６は、通常発熱するので、この熱をヒータ３０の発熱の代わりに使用してもよい。プリンタ６の熱が断熱箱１１内部にこもって、所定の温度範囲以上になると、熱サイクルシステムを起動して、冷却を行うことになる。
【００３９】
（実施の形態３）
上記、各実施の形態では、断熱箱１６を設けて熱交換器２１を設置する間接冷却方式としたが、図４のような直接冷却方式を採用してもよい。図４では、断熱箱１１内のプリンタ６近傍に熱交換器２１を設置しているので、より小型にできる。
【００４０】
（実施の形態４）
上記図２で説明したような冷暖可能なヒートポンプを使用した実施の形態１において、図３で説明したヒータ３０を設けてもよい。隔壁１５上にヒータ３０を設け、温度センサー２７に加えて湿度センサーを断熱箱１１の内部に設置し、温度センサー２７と湿度センサーの信号を制御部２８に印加する。制御部２８は、湿度が所定の値を越えた場合、冷房運転を開始して除湿するが、温度Ｔが所定温度以下になると、ヒータ３０に通電制御して、所定の温度Ｔを保つようにする。外気温度が低すぎて、ヒートポンプだけでは、断熱箱内部の温度を所定の温度範囲に保てない場合は、ヒータ３０に通電制御して、所定の温度を保つようにできる。図４の直接冷却方式においても、断熱箱１１の内部にヒータを設けることができ、同様の制御を行うことができる。
【００４１】
（実施の形態５）
例えば、厳冬期の戸外のように、湿度が低くなる環境においてシート作成装置を使用する場合には、上記各実施の形態において、超音波加湿器のような加湿器を断熱箱１１の中に設けてもよい。その一例を図５に示す。図５においては、断熱箱１１の内部に加湿器５１を設ける。また、温度センサー２７に加えて湿度センサー５０を断熱箱１１の内部に設置し、温度センサー２７と湿度センサー５０の信号を制御部２８に印加する。制御部２８は、湿度が所定の値より低くなると、加湿器５１を駆動して、所定の湿度を保つようにする。図５におけるヒートポンプ装置は、基本的に図２において説明したものと同様であり、図５（Ａ）に示す切換器２３は、図２（Ａ）において説明したものと同様である。図５においては、隔壁１５のない直接冷却方式にしている。
図６は、加湿器５０を断熱箱１１の外に設置し、高湿の空気を断熱箱１１の内部に導くようにした例である。この例では、ヒータ３０も設けており、温度、湿度を所望の範囲に制御することが、よりやり易くなる。
なお、加湿器に必要な水分や水は、結露した水を貯蔵しておいて使用することができる。図６の構成において、排水口１１を加湿器５０に接続しておけばよい。また、断熱箱１１の外部に設けた小型のタンクから加湿器に水を供給するようにしてもよい。小型のタンクは、冬などの低湿期には、水の消費状態に応じて、定期的にあるいは不定期的に交換できるようにすればよい。なお、加湿器は公知技術であり、詳細な説明は省略する。また、加湿器は、超音波加湿器に限らないのは言うまでもない。
【００４２】
（その他の実施の形態と補足）
断熱箱１１内部に吸湿剤を装備しておき、余分な湿気を吸湿剤により吸収し、過度に低湿になった際には、吸湿剤から水分が放出されるようにしてもよい。
【００４３】
プリンタ６自身が、大量の熱を発生する場合は、断熱箱１１に開閉可能な窓を開けておき、通常は、窓を開けておき、外気温度が所定温度範囲に比べて高い夏の時期や、外気温度が低い冬の時期、あるいは直射日光により周辺温度が上昇する時間帯には、窓を閉じて、ヒートポンプを使用するようにしてもよい。窓には別のファンを設けても良い。外気温を計測する外気温度センサーを、シート作成装置の内壁や断熱箱１１の外部に設けて、その温度データを制御部２８に印加して、窓の開閉やファンの駆動を制御すればよい。図７の（Ａ）は、その一例である。図７の（Ａ）において、断熱箱１１の上部の蓋７０と底部の蓋７２は、ヒンジを支点として開閉可能である。外気温度が所定外気温度範囲内の場合は、蓋７０、７２を開き、保守用の開口部７１と底の通気口７３を通じて外気を導入し、断熱箱１１内部を所定温度範囲内に保つ。外気温度が所定外気温度範囲外の場合は、蓋７０、７２を閉じ、保守用の開口部７１と底の通気口７３を閉鎖して、上記説明した熱サイクルシステムを駆動して、断熱箱１１内部を所定温度範囲内に保つ。ヒンジ部の駆動には、モータを使えばよい。制御部２８が、外気温度センサーとセンサー２７の計測する温度データに基づき、モータを駆動して、蓋７０、７２の開閉を行う。開口部や通気口の位置は、上記以外の場所、たとえば断熱箱１１の側面でもよい。また、ヒンジによる回転式の開閉機構以外に、スライド式の開閉機構を用いてもよい。
【００４４】
排出口１２の出口や途中に扉を設けて、切手シートを排出するとき以外には閉じておき、外気の熱気や冷気がプリンタ６に侵入するのを防止するようにしてもよい。図７の（Ｂ）はその一例である。図７の（Ｂ）において、断熱箱１１の前面板断熱材には、切手シートの排出口１２が貫通している。破線の矢印は、切手シートの排出移動経路を示す。断熱材１３は、排出口１２の周りを囲むように設けられる。可動式の遮蔽扉７４は、排出口を閉鎖することができる。通常は下に下りており、排出口を閉じている。切手シートを排出するときには、遮蔽扉７４は上部に移動する。断熱箱１１の前面板断熱材が排出口１２を取り囲み、断熱材１３が排出口１２と断熱箱１１内部とを遮断し、遮蔽扉７４がプリンタ６への熱冷気の流入を妨げるので、プリンタ６の環境制御がし易くなる。遮蔽扉７４の開閉構造は他の方式でもよい。遮蔽扉７４の材料として断熱材料を用いれば、断熱効果が一層増す。
【００４５】
図２、図３に示した実施の形態において、断熱箱１１と断熱箱１６を別筐体とし、通気口１７、１８の代わりに、断熱パイプで両者を結合するようにしてもよい。
【００４６】
冷媒によるヒートポンプの代わりに、ペルチェ効果素子を用いた冷却加熱システムを使用して、断熱箱１１内部の温度制御を行ってもよい。ペルチェ効果素子は、素子の表裏の一方の面が冷却面に、他方の面が発熱面になり、通電電流の方向によって、冷却面と発熱面を逆にできるので、センサー２７の温度情報により、通電方向を切り替えるだけで、断熱箱１１内部を、冷却、および、加熱することができる。
【００４７】
除湿を効果的に行うには、熱交換器２１の温度を充分低くして結露を多くして、水滴を排出するのがよいが、断熱箱１１内部の温度が下がりすぎる場合には、通気口１８の出口や断熱箱１１内の熱交換器２１から離れた位置にヒータを設けて加熱を並行して行い、断熱箱１１内部の温度が下がり過ぎないようにすればよい。湿度の制御を行うには、センサー２７に加えて、湿度センサーを設け、計測データを制御部２８に入力するようにすればよい。
【００４８】
【発明の効果】
以上のように、本発明によれば、
（１）シート作成装置において、用紙の裏面の糊の溶解や、用紙の変形による不具合の発生を防止できる。
【００４９】
（２）プリンタの排出口の周囲を断熱材で囲むことにより、環境制御が容易になる。すなわち、小規模の冷却、加熱用の熱サイクルシステムや冷暖房システムを適用でき、小型化ができ、消費電力が少なくてすむ。
【００５０】
（３）プリンタの排出口に遮断扉を設けることにより、外部の冷気や熱気の侵入を防止できるので、環境制御が一層容易になる。すなわち、より小規模の冷却、加熱用の熱サイクルシステムや冷暖房システムを適用でき、小型化ができ、消費電力がさらに少なくてすむ。
【図面の簡単な説明】
【図１】本発明のシート作成装置およびプリンタ装置の使用外観図
【図２】本発明の一実施形態によるシート作成装置のプリンタ周辺の環境制御部の構成図
【図３】本発明の他の実施形態によるシート作成装置のプリンタ周辺の環境制御部の構成図
【図４】本発明の他の実施形態によるシート作成装置のプリンタ周辺の環境制御部の構成図
【図５】本発明の他の実施形態によるシート作成装置のプリンタ周辺の環境制御部の構成図
【図６】本発明の他の実施形態によるシート作成装置のプリンタ周辺の環境制御部の構成図
【図７】本発明の他の実施形態によるプリンタ周辺の環境制御部の断熱構造図
【符号の説明】
１  被写体
２  シート作成装置
３  シート
４  撮像手段
５  画像制御手段
６  プリンタ
７  排出口
８  環境制御部
１１  断熱箱
１２  排出口
１３  断熱材
１４  蓋
１５  隔壁
１６  断熱箱
１７、１８  通気口
１９  排水口
２０  圧縮機
２１、２２  熱交換器
２３  切換器
２４  膨張弁
２５、２６  ファン
２７  温度センサー
２８  制御部
３０  ヒータ
５０  湿度センサー
５１  加湿器
７０  蓋
７１  開口部
７２  蓋
７３  通気口
７４  遮蔽扉
【図１】
2005001120.tif 000003
【図２】
2005001120.tif 000004
【図３】
2005001120.tif 000005
【図４】
2005001120.tif 000006
【図５】
2005001120.tif 000007
【図６】
2005001120.tif 000008
【図７】
2005001120.tif 000009